(57)【特許請求の範囲】
【請求項１】
コマを保持するコマホルダと第１の回転駆動機構とが設けられたケースを備え、作動部材を手動で所定の動作方向に直線的に動作させることによって前記第１の回転駆動機構を作動させて回転力を付与した状態でコマを発射させる一のコマ発射装置単体と、コマを保持するコマホルダと第２の回転駆動機構とが設けられたケースを備え、作動部材を手動で所定の動作方向に直線的に動作させることによって前記第２の回転駆動機構を作動させて回転力を付与した状態でコマを発射させる他のコマ発射装置単体と、を互いに連結した連結コマ発射装置であって、
前記一のコマ発射装置単体のケースには第１の結合手段が設けられ、前記他のコマ発射装置単体のケースには、前記第１の結合手段に結合及び結合解除可能な第２の結合手段が設けられ、結合状態で、コマホルダ同士が同じ方向を向き、且つ、作動部材の動作方向が同じ方向となるように前記一のコマ発射装置単体と前記他のコマ発射装置単体とを連結するように構成されていることを特徴とする連結コマ発射装置。
【請求項２】
前記作動部材はラックベルトであることを特徴とする請求項１に記載の連結コマ発射装置。
【請求項３】
１本の前記ラックベルトが前記第１の回転駆動機構及び前記第２の回転駆動機構のそれぞれのピニオンに噛合するように、前記一のコマ発射装置単体と前記他のコマ発射装置単体とを互いに連結することを特徴とする請求項２に記載の連結コマ発射装置。
【請求項４】
前記一のコマ発射装置単体及び前記他のコマ発射装置単体には、それぞれ、前記第１の結合手段及び前記第２の結合手段の双方が設けられていることを特徴とする請求項１から請求項３いずれか一項に記載の連結コマ発射装置。
【発明の詳細な説明】
【技術分野】
【０００１】
本発明は、複数個のコマを同時期に発射することが可能な連結コマ発射装置に関する。
【背景技術】
【０００２】
従来、コマ発射装置は、コマホルダに装着した１個のコマを発射させるように構成されていた。そのため、一人でコマ同士のバトルゲームを楽しむには、コマ発射装置で１個のコマを発射し、直ぐに、コマ発射装置で次のコマを発射させなくてはならない。この場合、２つのコマ発射装置を使用して一方のコマ発射装置で最初のコマを発射し、他方のコマ発射装置で次のコマを発射するか、１つのコマ発射装置を使用して最初のコマを発射した後、次のコマを同じコマ発射装置に装着して発射しなければならない。
しかしながら、このような発射操作は煩わしく、しかも、それぞれのコマの発射時期に大きな隔たりができてしまうため、後に発射したコマが有利となり、ゲーム性を損なうという問題があった。
【０００３】
一方、２個同時発射型コマ発射装置として、例えば特許文献１に記載のものが提供されている。
この２個同時発射型コマ発射装置によれば、２つのコマ発射装置単体を格納器に並列に収納し、各コマ発射装置単体にラックベルトを挿入し、２つのラックベルトを同時に引くことによって、２個のコマを同時に発射させることができる。
【先行技術文献】
【特許文献】
【０００４】
【特許文献１】実用新案登録第３０９０５８０号公報
【発明の概要】
【発明が解決しようとする課題】
【０００５】
しかしながら、この２個同時発射型コマ発射装置では、２つのコマ発射装置単体の他、２つのコマ発射装置単体を並列に設けるための特別な格納器を必要とするので、構造が複雑となるという問題があった。
本発明は、構造が簡素な連結コマ発射装置を提供することを目的とする。
【課題を解決するための手段】
【０００６】
請求項１に記載の連結コマ発射装置は、
コマを保持するコマホルダと第１の回転駆動機構とが設けられたケースを備え、作動部材を手動で所定の動作方向に直線的に動作させることによって前記第１の回転駆動機構を作動させて回転力を付与した状態でコマを発射させる一のコマ発射装置単体と、コマを保持するコマホルダと第２の回転駆動機構とが設けられたケースを備え、作動部材を手動で所定の動作方向に直線的に動作させることによって前記第２の回転駆動機構を作動させて回転力を付与した状態でコマを発射させる他のコマ発射装置単体と、を互いに連結した連結コマ発射装置であって、
前記一のコマ発射装置単体のケースには第１の結合手段が設けられ、前記他のコマ発射装置単体のケースには、前記第１の結合手段に結合及び結合解除可能な第２の結合手段が設けられ、結合状態で、コマホルダ同士が同じ方向を向き、且つ、作動部材の動作方向が同じ方向となるように前記一のコマ発射装置単体と前記他のコマ発射装置単体とを連結するように構成されていることを特徴とする。
【０００７】
請求項２に記載の連結コマ発射装置は、請求項１に記載の連結コマ発射装置であって、前記作動部材はラックベルトであることを特徴とする。
【０００８】
請求項３に記載の連結コマ発射装置は、請求項２に記載の連結コマ発射装置であって、１本の前記ラックベルトが前記第１の回転駆動機構及び前記第２の回転駆動機構のそれぞれのピニオンに噛合するように、前記一のコマ発射装置単体と前記他のコマ発射装置単体とを互いに連結することを特徴とする。
【０００９】
請求項４に記載の連結コマ発射装置は、請求項１から請求項３いずれか一項に記載の連結コマ発射装置であって、前記一のコマ発射装置単体及び前記他のコマ発射装置単体には、それぞれ、前記第１の結合手段及び前記第２の結合手段の双方が設けられていることを特徴とする。
【発明の効果】
【００１０】
請求項１及び請求項２に記載の連結コマ発射装置によれば、一のコマ発射装置単体と他のコマ発射装置単体との連結を解除してそれぞれ単体で使用することができるとともに、一のコマ発射装置単体と他のコマ発射装置単体とを連結して２つのコマを同時期に発射できる。そして、一のコマ発射装置単体と他のコマ発射装置単体とを連結して２つのコマを同時期に発射させることにより、一人でもコマのバトルゲームを楽しむことができる。さらに、構造が簡素な連結コマ発射装置を実現できる。
【００１１】
請求項３に記載の連結コマ発射装置によれば、一のコマ発射装置単体と他のコマ発射装置単体とを連結した際に１本のラックベルトによって２つのコマを同時期に発射させることができるので、発射操作も容易となる。
【００１２】
請求項４に記載の連結コマ発射装置によれば、３つ以上のコマ発射装置単体を連結することができる。また、２つのコマ発射装置単体の連結方向を気にする必要がなくなる。
【図面の簡単な説明】
【００１３】
【図１】本発明に係る連結コマ発射装置の一実施形態を示した一部断面斜視図である。
【図２】図１に示した連結コマ発射装置の下面を示した斜視図である。
【図３】ケースを縦方向に連設した状態のラックベルトの歯とピニオンの噛合状態を示した模式図である。
【図４】コマの弧状溝とコマホルダの爪との関係を示した模式図で、（Ａ）はコマホルダが回転している状態を示し、（Ｂ）はコマホルダが停止した状態を示している。
【図５】ケースを縦方向に連設した状態のラックベルトとピニオンの位置関係を示した他例を示した模式図である。
【図６】ケースを横に並べて結合させた状態で２本のラックベルトの歯部をそれぞれのピニオンに噛合した状態を示した模式図である。
【発明を実施するための形態】
【００１４】
以下、本発明に係る連結コマ発射装置を図面に示した実施形態に基づいて説明する。なお、前後、左右及び上下は図１に示す方向を言うものとする。
【００１５】
（全体構成）
図１に示す連結コマ発射装置１は、２つのコマ発射装置単体２を縦方向に並べて連結したものである。
この連結コマ発射装置１においてはコマ発射装置単体２毎に１個のコマ３０が装着される。
また、この連結コマ発射装置１においては１本のラックベルト２０が使用される。すなわち、１本のラックベルト２０は前側のコマ発射装置単体２から連結コマ発射装置１内に導入され、後側のコマ発射装置単体２から先端部が導出される。そして、この１本のラックベルト２０を引くことによって、各コマ発射装置単体２に装着されたコマ３０を同時期に回転させながら発射する。
なお、この連結コマ発射装置１は、２つのコマ発射装置単体２の連結を解除することによって、各コマ発射装置単体２を単独で使用することができる。
【００１６】
（細部構成）
１．コマ発射装置単体２について
この実施形態では、２つのコマ発射装置単体２は同じ構成を有している。したがって、２つのコマ発射装置単体２の共通の構成要素については同一符号を付して適宜重複記載を省略するものとする。
コマ発射装置単体２はケース２ａを備えている。このケース２ａは上面視で略長方形を成している。このケース２ａは下端が解放された形となっている（図２参照）。
ケース２ａの前端部には前方に張り出す凸部３ａが形成されている。この凸部３ａはケース２ａの左右方向中央に位置し、この凸部３ａの左右幅はケース２ａの本体の左右幅よりも小さく設定されている。この凸部３ａは、左右に、左右の幅方向外方に張り出す突起３０ａを１つずつ備えている。この凸部３ａは結合手段を構成している。
一方、ケース２ａの後端部には左右幅が上記凸部３ａの左右幅と略同じ切欠き部１８ａが形成されている。この切欠き部１８ａは下方に向けて開口している。この切欠き部１８ａの直ぐ前には壁１８ｂが形成されている。この切欠き部１８ａの縁部、壁１８ｂ及び左右側壁によって凹部３ｂが画成されている。この凹部３ｂは結合手段を構成している。
そして、前側のコマ発射装置単体２の切欠き部１８ａに下方から後側のコマ発射装置単体２の凸部３ａを嵌合させた際に後側のコマ発射装置単体２の凸部３ａの前端面が前側のコマ発射装置単体２の壁１８ｂに当接するとともに、後側のコマ発射装置単体２の左右の各突起２０ａが前側のコマ発射装置単体２の切欠き部１８ａの左右の各縁部に係止され、２つコマ発射装置単体２が互いに連結される。なお、凸部３ａと凹部３ｂとの結合を解除すれば、２つコマ発射装置単体２の連結解除を行うことができる。
また、凸部３ａにはラックベルト２０のベルト導入部４ａが形成され、壁１８ｂにはラックベルト２０のベルト導出部４ｂが形成されている。そして、２つコマ発射装置単体２が互いに連結された際に、一方のコマ発射装置単体２のベルト導入部４ａ及びベルト導出部４ｂと他方のコマ発射装置単体２のベルト導入部４ａ及びベルト導出部４ｂとが一直線上に並ぶように設定されている。
【００１７】
ケース２ａには、コマ３０の装着部を構成する円盤状のコマホルダ１５が設けられている。このコマホルダ１５は回転軸１１を介してケース２ａに取り付けられている。コマホルダ１５は回転軸１１に対して空転可能となっている。このコマホルダ１５の下面周縁には、回転軸１１を挟んで対向する２箇所に爪１６が１個ずつ形成されている。各爪１６は下面視で円弧状を成している。また、この爪１６は、下端部が水平面１６ａを成し、回転方向先端部が鉛直面１６ｂを成し、回転方向後端部が傾斜面１６ｃを成している。
【００１８】
また、ケース２ａには、上記コマホルダ１５を回転駆動する回転駆動機構１０が設けられている。この回転駆動機構１０は、回転軸１１に固定されラックベルト２０の歯に噛合可能なピニオン１２と、このピニオン１２の回転動力をコマホルダ１５に伝達するクラッチ１３とを備えている。
このうちクラッチ１３はピニオン１２と一体的に回転する。このクラッチ１３は、合成樹脂から形成され、回転軸１１に嵌合するハブ１３ａと、このハブ１３ａと一体的に形成された２つのＣ字状の膨出部１３ｂとを備えている。各膨出部１３ｂには突起１３ｃが形成されている。一方、コマホルダ１５の上面にはクラッチ１３を取り囲む円筒部１７が形成されており、この円筒部１７の内周には上記突起１３ｃと嵌合可能な凹部１７ａが全周に亘って形成されている。そして、常態では各突起１３ｃが凹部１７ａに嵌合しているので、ピニオン１２が回転すると、クラッチ１３も追従して回転してコマホルダ１５が回転する。また、過負荷が作用すると、膨出部１３ｂが弾性変形するので、ピニオン１２とクラッチ１３との間の動力伝達が遮断される。
【００１９】
２．コマ３０について
この実施形態では、２つのコマ３０は同じ構成を有している。したがって、２つのコマ３０の共通の構成要素については同一符号を付して適宜重複記載を省略するものとする。
コマ３０の上面には、コマホルダ１５の爪１６に対応する位置に弧状溝３１が形成されている。この実施形態のコマ３０では、この弧状溝３１に舌片３２が下方から挿入されているが、この舌片３２はなくてもよく、弧状溝３１が形成されていればよい。この弧状溝３１は舌片３２の挿入側よりもその反対側が狭幅となっている。そして、この弧状溝３１の隙間には、コマホルダ１５の爪１６を上方から挿入し、コマホルダ１５とコマ３０とを相対的に回転させてコマホルダ１５の爪１６を弧状溝３１の狭幅側に移動させる。すると、爪１６の内面に形成されている突起１６ｄがコマ３０の上壁下側に潜り込み、これによってコマ３０がコマホルダ１５に装着（保持）される。
【００２０】
３．ラックベルト２０について
ラックベルト２０は、一の側面に歯部２１を形成したもので一端にはハンドル２２が設けられている。このラックベルト２０は、ケース２ａのベルト導入部４ａを経て連結コマ発射装置１内に挿入され、ラックベルト２０の歯部２１が２つのコマ発射装置単体２の各ピニオン１２に噛合される。
【００２１】
（使用方法及び動作）
次に、このように構成された連結コマ発射装置１の動作を説明する。
２つのコマ発射装置単体２の各コマホルダ１５に１個ずつコマ３０を装着した後、図３に示すように、ラックベルト２０を前側のコマ発射装置単体２から連結コマ発射装置１内に導入し、後側のコマ発射装置単体２から先端部を導出させる。そして、２つのコマ発射装置単体２の各コマホルダ１５を下に向けてラックベルト２０を引き抜くと、ピニオン１２が回転し、その回転力がクラッチ１３を介してコマホルダ１５に伝達され、コマホルダ１５が回転する。
【００２２】
コマホルダ１５が回転すると、その回転力は爪１６を介してコマ３０に伝達される。ラックベルト２０の歯部２１がピニオン１２から外れると、ピニオン１２の回転が停止される。この場合、コマ３０は慣性力によって回転し続けるため、図４（Ｂ）に示すように、コマ３０の舌片３２が傾斜面１６ｃに当たり、その傾斜面１６ｃによってコマ３０が下方に移動し、遂にはコマホルダ１５から回転しながら落下（発射）される。
【００２３】
なお、図３に示すように、１本のラックベルト２０によって２つのピニオン１２を回転させる場合、前側のコマ発射装置単体２のピニオン１２は後側のコマ発射装置単体２のピニオン１２よりも歯部２１との噛合時間が長くなる。そこで、両ピニオン１２の噛合時間を同じにするために、図５に示すように、ラックベルト２０の歯部２１の形成位置を、ハンドル２２から遠く離し、ラックベルト２０を２つのケース２ａに装填した状態で、ラックベルト２０の歯部２１が前側のピニオン１２に噛合しないようにしてもよい。
【００２４】
《他の実施形態》
図６は、本発明に係る連結コマ発射装置１の他の実施形態を示している。この連結コマ発射装置１では、ケース２ａ，２ａを横に並べて互いに連結し、それぞれのピニオン１２に別のラックベルト２０の歯部２１をそれぞれ噛合させている。この場合には、ラックベルト２０を平行に位置させるとともに、２つのラックベルト２０のハンドル２２同士を１つの連結把手２３によって互いに結合させることが好ましい。このようにすれば、１つの連結把手２３を引くことによって、両ラックベルト２０を同時操作することができる。
【００２５】
《発明の変形例》
以上、本発明の実施形態について説明したが、本発明は、かかる実施形態に限定されず、その要旨を逸脱しない範囲で、種々の変形が可能であることは言うまでもない。
例えば、上記実施形態では、結合手段として凸部３ａと凹部３ｂとを設けたが、結合手段を磁石によって構成することもできる。また、結合手段として凸部と凹部の組を一方のコマ発射装置単体２に形成するとともに、他方のコマ発射装置単体２にも凸部と凹部の組からなる結合手段を形成し、２つの凸部と２つの凹部とを嵌合させることによって、２つのコマ発射装置単体２同士を突き合わせて連結させてもよい。或いは、結合手段として蟻を一方のコマ発射装置単体２に形成するとともに、他方のコマ発射装置単体２には蟻溝からなる結合手段を形成し、蟻と蟻溝とを嵌合させることによって、２つのコマ発射装置単体２同士を連結させてもよい。さらに、結合手段として軸に付設された半月板を一方のコマ発射装置単体２に形成するとともに、他方のコマ発射装置単体２には半月状のポケットからなる結合手段を形成し、２つのコマ発射装置単体２同士を相対的に軸を中心に回転させることによって連結させてもよい。
【符号の説明】
【００２６】
１  連結コマ発射装置
２  コマ発射装置単体
２ａ  ケース
３ａ  凸部
３ｂ  凹部
１０  回転駆動機構
１１  回転軸
１２  ピニオン
１３  クラッチ
１５  コマホルダ
１６  爪
２０  ラックベルト
３０  コマ
【要約】
【課題】構造が簡素な連結コマ発射装置を提供すること
【解決手段】コマ３０を保持するコマホルダ１５と回転駆動機構１０とが設けられたケースを備え、作動部材２０を手動で所定の動作方向に直線的に動作させることによって前記第１の回転駆動機構１０を作動させて回転力を付与した状態でコマ３０を発射させる２つのコマ発射装置単体２を互いに連結した連結コマ発射装置１であって、
一方のコマ発射装置単体２のケース２ａには第１の結合手段３ｂが設けられ、他方のコマ発射装置単体２のケースには、前記第１の結合手段３ｂに結合及び結合解除可能な第２の結合手段３ａが設けられ、結合状態で、コマホルダ１５同士が同じ方向を向き、且つ、作動部材２０の動作方向が同じ方向となるように両コマ発射装置単体２を連結するように構成されている。
【選択図】図１【図１】
0005927335.tif 000002
【図２】
0005927335.tif 000003
【図３】
0005927335.tif 000004
【図４】
0005927335.tif 000005
【図５】
0005927335.tif 000006
【図６】
0005927335.tif 000007